(57)【特許請求の範囲】
【請求項１】
ガスタービンエネルギーシステムを動作させる方法であって、
（ａ）互いに流体連通される、圧縮機と、燃焼器ケースと、燃焼器と、タービンとを備えるガスタービンシステムを動作させるステップと、
（ｂ）燃料エンジンによって駆動される補助圧縮機を使用して周囲空気を加圧するステップであって、前記燃料エンジンを動作させることが配電網から独立している、ステップと、
（ｃ）前記加圧空気を前記燃焼器ケース内に噴射するステップと
を含む方法。
【請求項２】
ガスタービンエネルギーシステムを動作させる方法であって、
（ａ）互いに流体連通される、圧縮機と、燃焼器ケースと、燃焼器と、タービンとを備えるガスタービンシステムを動作させるステップと、
（ｂ）燃料エンジンによって駆動される補助圧縮機を使用して、周囲空気および前記燃料エンジンからの排気ガスの一部を加圧するステップと、
（ｃ）前記加圧された空気と排気との混合物を前記燃焼器ケース内に噴射するステップと
を含み、
前記燃料エンジンを動作させることが配電網から独立している、
方法。
【請求項３】
ガスタービンエネルギーシステムを動作させる方法であって
（ａ）互いに流体連通される、圧縮機と、燃焼器ケースと、燃焼器と、タービンとを備えるガスタービンシステムを動作させるステップと、
（ｂ）燃料エンジンによって駆動される補助圧縮機を使用して周囲空気および前記燃料エンジンからの排気ガスのすべてを加圧するステップと、
（ｃ）前記加圧された空気と排気との混合物を前記燃焼器ケース内に噴射するステップと
を含み、
前記燃料エンジンを動作させることが配電網から独立している
方法。
【請求項４】
ガスタービンエネルギーシステムを動作させる方法であって、
（ａ）互いに流体連通される、圧縮機と、燃焼器ケースと、燃焼器と、タービンとを備えるガスタービンシステムを動作させるステップと、
（ｂ）燃料エンジンによって駆動される補助圧縮機を使用して前記燃料エンジンからの排気ガスのみを加圧するステップと、
（ｃ）前記加圧された空気と排気との混合物を前記燃焼器ケース内に噴射するステップと
を含み、
前記燃料エンジンを動作させることが配電網から独立している
方法。
【請求項５】
前記燃料エンジンからの暖かい排気が前記燃焼器に送られる燃料を予熱するのに使用される、請求項１に記載の方法。
【請求項６】
前記燃料エンジンからの暖かい排気が前記燃焼器に送られる燃料を予熱するのに使用される、請求項２に記載の方法。
【請求項７】
前記燃料エンジンからの暖かい排気が前記燃焼器に送られる燃料を予熱するのに使用される、請求項３に記載の方法。
【請求項８】
前記燃料エンジンからの暖かい排気が前記燃焼器に送られる燃料を予熱するのに使用される、請求項４に記載の方法。
【請求項９】
前記ガスタービンが動作しないとき、前記燃料エンジンの排気のすべてまたは一部が入熱のために熱回収ボイラまで進路転換される、請求項１に記載の方法。
【請求項１０】
前記ガスタービンが運転されないとき、前記燃料エンジンの排気のすべてまたは一部が入熱のために熱回収ボイラおよび／または前記タービンまで進路転換される、請求項２に記載の方法。
【請求項１１】
前記ガスタービンが動作しないとき、前記燃料エンジンの排気のすべてまたは一部が入熱のために熱回収ボイラおよび／または前記タービンまで進路転換される、請求項３に記載の方法。
【請求項１２】
前記ガスタービンが動作しないとき、前記燃料エンジンの排気のすべてまたは一部が入熱のために熱回収ボイラおよび／または前記タービンまで進路転換される、請求項４に記載の方法。
【請求項１３】
前記ガスタービンが動作しないとき、燃料エンジンによって行われる圧縮プロセスによって作られる加圧空気が、入熱のために熱回収ボイラおよび／または前記タービンまで進路転換される、請求項１に記載の方法。
【請求項１４】
前記ガスタービンが動作しないとき、燃料エンジンによって行われる圧縮プロセスによって作られる加圧空気が、入熱のために熱回収ボイラおよび／または前記タービンまで進路転換される、請求項２に記載の方法。
【請求項１５】
前記ガスタービンが動作しないとき、燃料エンジンによって行われる圧縮プロセスによって作られる加圧空気が、入熱のために熱回収ボイラおよび／または前記タービンまで進路転換される、請求項３に記載の方法。
【請求項１６】
前記ガスタービンが動作しないとき、燃料エンジンによって行われる圧縮プロセスによって作られる加圧空気が、入熱のために熱回収ボイラおよび／または前記タービンまで進路転換される、請求項４に記載の方法。
【請求項１７】
ガスタービンエネルギーシステムを動作させる方法であって、
（ａ）互いに流体連通される、圧縮機と、燃焼器ケースと、燃焼器と、タービンとを備えるガスタービンシステムを動作させるステップと、
（ｂ）燃料エンジンによって駆動される補助圧縮機を使用して周囲空気を加圧するステップと、
（ｃ）ロータ式空気冷却器の上流側のロータ式冷却空気回路内に前記加圧空気を噴射するステップと
を含み、
前記燃料エンジンを動作させることが配電網から独立している
方法。
【請求項１８】
ガスタービンエネルギーシステムを動作させる方法であって、
（ａ）互いに流体連通される、圧縮機と、燃焼器ケースと、燃焼器と、タービンとを備えるガスタービンシステムを動作させるステップと、
（ｂ）燃料エンジンによって駆動される補助圧縮機を使用して周囲空気を加圧するステップと、
（ｃ）ロータ式空気冷却器の下流側のロータ式冷却空気回路内に前記加圧空気を噴射するステップと
を含み、
前記燃料エンジンを動作させることが配電網から独立している
方法。
【請求項１９】
前記燃料エンジンからの排気が前記タービンの排気に吐出される、請求項１７に記載の方法。
【請求項２０】
前記燃料エンジンからの排気が前記タービンの排気に吐出される、請求項１８に記載の方法。
【請求項２１】
ガスタービンエネルギーシステムを動作させる方法であって、
（ａ）互いに流体連通される、圧縮機と、燃焼器ケースと、燃焼器と、タービンとを備えるガスタービンシステムを動作させるステップと、
（ｂ）燃料エンジンによって駆動される補助圧縮機を使用して周囲空気を加圧するステップと、
（ｃ）前記加圧空気を中間圧力冷却回路内に噴射するステップと
を含み、
前記燃料エンジンを動作させることが配電網から独立している
方法。
【請求項２２】
ガスタービンエネルギーシステムを動作させる方法であって、
（ａ）互いに流体連通される、圧縮機と、燃焼器ケースと、燃焼器と、タービンとを備えるガスタービンシステムを動作させるステップと、
（ｂ）燃料エンジンによって駆動される補助圧縮機を使用して周囲空気を加圧するステップと、
（ｃ）前記加圧空気を第１のステージのノズル冷却回路内に噴射するステップと
を含み、
前記燃料エンジンを動作させることが配電網から独立している
方法。
【請求項２３】
前記燃料エンジンからの排気が前記タービンの排気に吐出される、請求項２１に記載の方法。
【請求項２４】
前記燃料エンジンからの排気が前記タービンの排気に吐出される、請求項２２に記載の方法。
【請求項２５】
ガスタービンエネルギーシステムを動作させる方法であって、
（ａ）互いに流体連通される、圧縮機と、燃焼器ケースと、燃焼器と、タービンとを備えるガスタービンシステムを動作させるステップと、
（ｂ）燃料エンジンによって駆動される補助圧縮機を使用して周囲空気を加圧するステップと、
（ｃ）前記加圧空気をガスタービン冷却回路内に噴射するステップと、
（ｄ）前記燃料エンジンからの熱を利用して作られる蒸気を前記タービン内に噴射するステップと
を含み、
前記燃料エンジンを動作させることが配電網から独立している
方法。
【請求項２６】
ガスタービンエネルギーシステムを動作させる方法であって、
（ａ）互いに流体連通される、圧縮機と、燃焼器ケースと、燃焼器と、タービンとを備えるガスタービンシステムを動作させるステップと、
（ｂ）燃料エンジンによって駆動される補助圧縮機を使用して周囲空気を加圧するステップと、
（ｃ）前記ガスタービンシステムが運転されないとき、前記加圧空気を前記タービン内に噴射するステップと
を含み、
前記燃料エンジンを動作させることが配電網から独立している
方法。
【請求項２７】
ガスタービンエネルギーシステムを動作させる方法であって
（ａ）互いに流体連通される、圧縮機と、燃焼器ケースと、燃焼器と、タービンとを備えるガスタービンシステムを動作させるステップと、
（ｂ）前記ガスタービンシステムが運転されないとき、燃料エンジンからの熱を利用して作られる蒸気を熱回収ボイラ内に噴射するステップと
を含む方法。
【請求項２８】
前記燃料エンジンがジャケット冷却システムを有し、前記ジャケット冷却システムから除去される熱が、前記燃焼器内に送られる燃料を予熱するのに使用される、請求項５に記載の方法。
【請求項２９】
前記燃料エンジンがジャケット冷却システムを有し、前記ジャケット冷却システムから除去される熱が、前記燃焼器内に送られる燃料を予熱するのに使用される、請求項６に記載の方法。
【請求項３０】
前記燃料エンジンがジャケット冷却システムを有し、前記ジャケット冷却システムから除去される熱が、前記燃焼器内に送られる燃料を予熱するのに使用される、請求項７に記載の方法。
【請求項３１】
前記燃料エンジンがジャケット冷却システムを有し、前記ジャケット冷却システムから除去される熱が、前記燃焼器内に送られる燃料を予熱するのに使用される、請求項８に記載の方法。
【発明の詳細な説明】
【技術分野】
【０００１】
本発明は、概して、ガスタービンの発電能力を含めた、電力システムに関し、より詳細には、ピーク電力需要の期間おいて追加の電力を提供するのに、および、ガスタービンおよび蒸気タービンを高温に維持していつでも運転できる状態にし、それにより始動時間を短縮させるシステムを提供するのに有用であるエネルギー貯蔵に関する。
【背景技術】
【０００２】
現在、限界エネルギーは主としてガスタービンにより単純サイクル構成または複合サイクル構成のいずれかで作られる。負荷需要プロファイル（ｌｏａｄ  ｄｅｍａｎｄ  ｐｒｏｆｉｌｅ）を受けて、ガスタービンベースシステムが高需要の期間ではサイクルアップされ、低需要の期間ではサイクルダウンされるかまたは停止される。このサイクリングは、通常、グリッドオペレータ（Ｇｒｉｄ  ｏｐｅｒａｔｏｒ）により、アクティブグリッドコントロールすなわちＡＧＣ：ａｃｔｉｖｅ  ｇｒｉｄ  ｃｏｎｔｒｏｌと呼ばれるプログラム下で駆動される。残念ながら、設置される基地（ｂａｓｅ）の大部分を占める産業ガスタービンは主としてベース負荷での動作のために設計されていたので、サイクルされるとき、その特定のユニットのメンテナンスコストに付随して大きい不利益（ｐｅｎａｌｔｙ）が生じる。例えば、ベース負荷で運転されるガスタービンは３年ごとにまたは２４，０００時間ごとに２百万ドル〜３百万ドルの範囲のコストが発生する通常のメンテナンスを行う可能性があった。毎日始動および停止されるプラントの場合には一年でその同等のコストが発生していた。
【０００３】
現在、これらのガスタービンプラントはそれらの定格容量の約５０％までターンダウン（ｔｕｒｎ  ｄｏｗｎ）され得る。これらのガスタービンプラントは圧縮機の入口ガイドベーンを閉じることによってターンダウンされ、圧縮機のこの入口ガイドベーンがガスタービンへの空気流れを減少させ、燃焼プロセスでは燃料空気比が一定であることが望ましいので、これは燃料流れも減少させる。圧縮機の動作およびエミッション（ｅｍｉｓｓｉｏｎ）を安全に維持するためには、通常、実際に達成され得るターンダウンのレベルが制限される。この安全な圧縮機の動作限界の下限は、現在のガスタービンでは、通常は圧縮機からのミドルステージのブリード抽出（ｍｉｄ  ｓｔａｇｅ  ｂｌｅｅｄ  ｅｘｔｒａｃｔｉｏｎ）により、ガスタービンの入口に温風を導入することにより改善される。この温風はアイシングを防止する場合にも入口に導入されることがある。いずれの場合も、これがなされるとき、より少ない流量で圧縮機を安全に動作させることを可能にしてそれによりターンダウン能力（ｔｕｒｎ  ｄｏｗｎ  ｃａｐａｂｉｌｉｔｙ）を向上させるためのプロセスにおいて、圧縮機により空気に対して行われる仕事が犠牲になる。さらに、これは、抜き取られる空気に対して行われる仕事が損なわれるのでシステムの効率に悪影響を及ぼす。さらに、燃焼システムによってもこのシステムが制限される。
【０００４】
加えられる燃料が減少すると火炎温度が低下してそれにより発生するＣＯエミッションの量が増加するので、燃焼システムは、通常、システムをターンダウンすることができる量を制限する。温度が低下する場合の火炎温度とＣＯエミッションとの間の関係は指数関数的であり、したがって、ガスタービンシステムの限界に近づくと、ＣＯエミッションが急激に増加し、結果、この限界から安全にマージンが維持される。この特性によりすべてのガスタービンシステムのターンダウン能力は約５０％に制限され、つまり、１００ＭＷガスタービンの場合、達成され得る最小電力は約５０％である５０ＭＷとなる。ガスタービンの質量流量が低下すると、圧縮機およびタービンの効率も低下し、機械の熱消費率が増大する。オペレータによっては毎日このような状況に直面し、結果的に、負荷需要が低下するときにガスタービンプラントがそれらの動作限界の下限に達し、機械を停止させることが必要となり、それにより、膨大なメンテナンスコストによる不利益が生じる。
【０００５】
一般的なガスタービンの別の特性は、空気の温度が上昇するときの密度の低下の一次効果を原因として、周囲温度の上昇に比例して出力が低下することである。暑い日には出力は公称値（ｎａｍｅｐｌａｔｅ）から１０％以上低下する場合もあり、通常、ピーク時にはガスタービンは最大にパワーを供給することを求められる。
【０００６】
一般的なガスタービンの別の特性は、ガスタービンの圧縮機セクション内で圧縮および加熱される空気が、種々の構成要素を冷却するのに空気を使用するガスタービンのタービンセクションの別の部分までダクトで送られることである。この空気は、通常、タービン冷却・漏洩空気（以下「ＴＣＬＡ：ｔｕｒｂｉｎｅ  ｃｏｏｌｉｎｇ  ａｎｄ  ｌｅａｋａｇｅ  ａｉｒ」）と呼ばれ、これはガスタービンに関連する技術分野はよく知られる用語である。圧縮プロセスにより加熱されるが、ＴＣＬＡ空気は依然としてタービン温度よりも大幅に低く、したがって、圧縮機の下流側のタービン内のそれらの構成要素を冷却するのに有効である。通常、圧縮機の入口に入る空気の１０％から１５％が燃焼器を迂回してこのプロセスのために使用される。したがって、ＴＣＬＡはガスタービンシステムの性能にとっては大きな不利益である。
【０００７】
ガスタービン別の特性は、熱負荷を考慮するのでガスタービンが始動するのに通常２０分から３０分かかり、複合サイクルプラントにある熱回収ボイラ（ＨＲＳＧ：ｈｅａｔ  ｒｅｃｏｖｅｒｙ  ｓｔｅａｍ  ｇｅｎｅｒａｔｏｒ）で１時間以上とられる可能性があることである。分単位で大きく変動する再生エネルギーの断続性（ｉｎｔｅｒｍｉｔｔｅｎｃｙ）のバランスをとるために複合サイクルプラントはより頻繁に使用されるので、これは深刻である。
【発明の概要】
【発明が解決しようとする課題】
【０００８】
本発明は、ガスタービンの出力の上限を改善してそれにより新しいガスタービンシステムまたは既存のガスタービンシステムの容量および制御能力（ｒｅｇｕｌａｔｉｏｎ  ｃａｐａｂｉｌｉｔｙ）を向上させるための、特定のプラントの要求に応じた、複数のオプションを提供する。
【課題を解決するための手段】
【０００９】
本発明の一態様は、システムを駆動させるのに別個の燃料エンジンを使用することにより圧縮空気噴射システムに通常付随する大きい所内動力が排除されるので、ピーク需要の期間においてガスタービンシステムが最大追加パワーをより効率的に提供するのを可能にするような方法およびシステムに関する。
【００１０】
本発明の別の態様は、別個の燃料エンジンからのエミッションのポイントソースを排除する排気再循環システムに関する。
【００１１】
本発明の別の態様は、排気ガス再循環システムに付随する廃熱を利用する効率改善に関する。
【００１２】
本発明の別の態様は燃料方式の（ｆｕｅｌｅｄ）入口チラーシステムに関し、ここでは、別個の燃料エンジンからの廃熱が蒸気タービンの出力を増大させ、それにより複合サイクルプラントの効率を維持するかまたは向上させる。
【００１３】
本発明の別の態様は、パワープラントが運転されない間に出力増大システムを代替利用することに関し、ここでは、圧縮空気がガスタービンを通過させられ、別個の燃料エンジンからの排気が熱回収ボイラ（「ＨＲＳＧ：ｈｅａｔ  ｒｅｃｏｖｅｒｙ  ｓｔｅａｍ  ｇｅｎｅｒａｔｏｒ」）を通過させられ、それによりガスタービンおよび蒸気タービンの全体が高温で維持され、それにより始動時間が短縮される。
【００１４】
本発明の別の態様は、パワープラントが運転されない間に出力増大システムを代替利用することに関し、ここでは、圧縮空気がガスタービンおよびＨＲＳＧを通過させられ、それによりガスタービンおよび蒸気タービンの全体が高温で維持され、それにより始動時間が短縮される。
【００１５】
本発明の別の態様は、別個の燃料エンジンからの排気が追加のパワーを作るためにＨＲＳＧで使用されるのと同時に、ガスタービンのミドルステージ（ｍｉｄ−ｓｔａｇｅ）または圧縮機吐出プレナム（ｃｏｍｐｒｅｓｓｏｒ  ｄｉｓｃｈａｒｇｅ  ｐｌｅｎｕｍ）から通常取られる冷却空気を移動させる出力増大空気噴射システムに関する。この代わりに供給される冷却空気は出力増大空気噴射システムが移動させる空気と温度および圧力が同等であってよいまたはそれより低くてよい（それにより、冷却空気の必要量が軽減され、ガスタービン（「ＧＴ：ｇａｓ  ｔｕｒｂｉｎｅ」）の効率が向上する）。
【００１６】
本発明の別の態様は、効率を向上させることに転換されるように冷却空気の必要量を軽減させるように、比較的低温の第１のステージのノズル冷却空気を使用することに関する。
【００１７】
本発明の別の態様は、完全な複合サイクル（「ＣＣ：ｃｏｍｂｉｎｅｄ  ｃｙｃｌｅ」）プラントの始動時間を最小にすることを目的としてＨＲＳＧおよび蒸気タービンを通るように蒸気を移動させるパッケージ化されたボイラ内で別個の燃料エンジンの排気を使用することと同時に、比較的低温の冷却空気を供給するための、および、複合サイクルプラントが運転されない期間においてタービンセクションを高温で維持するために高温の圧縮空気を供給するための、出力増大システムに関する。
【００１８】
本発明の別の態様は、ＧＴの燃料を予熱してＧＴの効率を向上させるのに別個の燃料エンジンの排気から利用され得る過剰な低品質（すなわち、低温）の熱を利用することと同時に、高温の圧縮空気を燃焼吐出プレナム内に入れる別個の燃料エンジンを利用することに関する。
【００１９】
本発明の一実施形態が、補助圧縮機と、少なくとも１つの圧縮機と、少なくとも１つの発電機と、少なくとも１つのタービン（少なくとも１つの発電機および少なくとも１つの圧縮機に接続される少なくとも１つのタービン）と、燃焼ケース（圧縮機のための吐出マニホルド）とを備えるシステムに関する。
【００２０】
別の好適な実施形態の別の利点は、別個の燃料エンジンによって供給される補助の圧縮高温空気を用いてガスタービンシステムの出力を迅速に増大させる能力である。
【００２１】
好適な実施形態の別の利点は、パワープラントにある第２のエミッション源からのエミッションを最小にするかまたは排除することを目的として、別個の燃料エンジンからの排気ガスの一部またはすべてを再循環させることである。
【００２２】
好適な実施形態の別の利点は、既存のＧＴのエミッションコントロールシステムを使用することによりエミッションの除去に付随するコストを最小にするかまたは排除することを目的として、別個の燃料エンジンからの排気ガスの一部またはすべてを再循環させることである。
【００２３】
別の好適な実施形態の一利点は、システム全体の効率を向上させることと同時に出力を向上させる能力である。
【００２４】
本発明の実施形態の別の利点は、従来のチラーシステムの出力および効率を向上させる能力である。
【００２５】
本発明の実施形態の別の利点は、必要となる始動時間を短縮するために、プラントが停止されている間にガスタービンおよび蒸気タービンの構成要素を暖かい状態で維持する能力である。
【００２６】
本発明の一部の実施形態の別の利点は、それ以外の場合ではＧＴの低温の冷却空気回路に付随して廃棄されてしまうような熱を減少させることにより、一体の出力増大システムの効率を向上させる能力である。
【００２７】
本発明の一部の実施形態の別の利点は、ＧＴで必要となるＴＣＬＡを減少させることおよび一体の出力増大システムの効率を向上させることを目的として、低温の冷却空気を外部供給のタービン構成要素まで供給する能力である。
【００２８】
本発明の一部の実施形態の別の利点は、ＧＴで必要となるＴＣＬＡを減少させることおよび一体の出力増大システムの効率を向上させることを目的として、冷却空気を優先的に排出させるかまたは直接に集配することにより低温の冷却空気を内部供給のタービン構成要素まで供給する能力である。
【００２９】
本発明の別の利点、特徴および特性、さらには、動作方法、ならびに、構造の関連要素の機能、および、部品の組み合わせが、添付図面を参照する以下の詳細な説明および添付の特許請求の範囲を考察することにより、より明確となり、これらのすべてが本明細書の一部を形成する。
【図面の簡単な説明】
【００３０】
【図１】排気ガスを再循環させることにより補助圧縮機を駆動させる、再生方式の燃料エンジンを備える補助エネルギーシステムを有する本発明の一実施形態を示す概略図であり、再生方式のエンジンの排気の一部またはすべてが別の燃焼のためにＧＴまで供給される。
【図２】排気ガスを再循環させて燃料を加熱することにより補助圧縮機を駆動させる、再生方式の燃料エンジンを備える補助エネルギーシステムを有する本発明の一実施形態を示す概略図であり、再生方式のエンジンの排気の一部またはすべてが別の燃焼のためにＧＴまで供給され、低品質の廃熱がＧＴの燃料を加熱するのにさらに使用される。
【図３】別個の燃料エンジンによって駆動されるチラーを使用する補助出力増加入口チリングシステムを組み込む本発明の一実施形態を示す概略図であり、別個の燃料エンジンからの排気がＧＴの排気に統合される。
【図４】燃料エンジンの排気を使用する熱回収ボイラ加熱システムを備える本発明の一実施形態を示す概略図であり、プラントが運転されていない間に圧縮空気および燃料エンジンの排気の両方が単純サイクルプラントまたは複合サイクルプラントを暖かい状態で維持するのに使用される。
【図５】圧縮空気を使用するファストスタートシステムを組み込む本発明の一実施形態を示す概略図であり、プラントが運転されていない場合に圧縮空気と燃料エンジンからの圧縮排気との混合物が単純サイクルプラントまたは複合サイクルプラントを暖かい状態で維持するのに使用される。
【図６】タービン冷気補助（ｔｕｒｂｉｎｅ  ｃｏｏｌ  ａｉｒ  ｓｕｐｐｌｅｍｅｎｔ）を行う本発明の一実施形態を示す図であり、低温の冷却空気が補助圧縮機および燃料エンジンによりガスタービンの高圧冷却回路に供給され、燃料エンジンの排気がガスタービンの排気に加えられる。
【図７】下流側のタービンノズルの低温の冷却空気の補助を行う本発明の一実施形態を示す概略図であり、低温の冷却空気が補助圧縮機および燃料エンジンにより中間圧力冷却回路まで供給され、燃料エンジンの排気がＧＴの排気に追加される。
【図８】第１のタービンノズルの低温の冷却空気補助を行う本発明の一実施液体を示す概略図であり、低温の冷却空気が補助圧縮機および燃料エンジンによりガスタービンの第１のステージのノズル冷却回路まで供給され、燃料エンジンの排気がＧＴの排気に追加される。
【図９】空気および蒸気を噴射することにより迅速に始動する本発明の一実施形態を示す概略図であり、低温の冷却空気が補助圧縮機および燃料エンジンにより第１のステージのノズル冷却回路、ガスタービンの高圧冷却回路または中間圧力冷却回路まで供給され、ガスタービンの動作中に出力増加のために燃料エンジンの排気が蒸気を作るのに使用され、ガスタービンの停止中に圧縮された空気および蒸気がプラントを暖かい状態で維持するのに使用される。
【図１０】再生方式の燃料エンジンを用いて補助圧縮機を駆動させる補助エネルギーシステムを有する、燃料を加熱する本発明の一実施形態を示す概略図であり、燃料エンジンの排気の一部またはすべてがガスタービンの燃料を加熱するのに使用される。
【図１１】２５ｋｇ／秒（５５ｌｂｓ／秒）（＋５．５％）の噴射のＳＷ５０１ＦＤ２の場合のエンタルピー−エントロピー図の温度−エントロピーで、本発明に利用可能なタイプのガスタービンサイクルを示すグラフである。
【図１２】中間冷却される圧縮機のプロセスと比較した、ＳＷ５０１ＦＤ２圧縮機の場合に周囲条件から高い圧力まで空気を圧送するのに必要となるポンド質量当たりの仕事を示すグラフである。
【発明を実施するための形態】
【００３１】
本発明の一態様が、種々の運転条件または動作モード下でガスタービンシステムがより効率的に運転されるのを可能にする方法およびシステムに関する。Ｎａｋｈａｍｋｉｎの米国特許第６，３０５，１５８号明細書（「’１５８特許」）で考察されるようなシステムでは、ノーマルモード、チャージングモードおよび空気噴射モードとして定義される３つの基本動作モードが存在するが、これは、ガスタービンシステムにより供給することができる「最大定格出力を超える」パワーを供給する能力を有する発電機が必要となるので、制限される。この特許が１０年以上前のものであること、および、エネルギーコストが急速に上昇する時代においてこの特許が適用されることはないことが、この特許が市場の要求に対応していないことの証拠となる。
【００３２】
まず、ガスタービンシステムにより現在供給することができる「最大定格出力を超える」パワーを供給できるようにするために発電機を差し替えてアップグレードするには非常に費用がかかる。
【００３３】
別の欠点は、燃料消費に大きな悪影響を与えることなくこのシステムを複合サイクルプラントに実装することができないことである。概説される実装形態の多くが、燃料消費の増加の問題を軽減するような、単純サイクル動作で空気を加熱するための換熱器を使用するが、これはコストおよび複雑さが大きく増大する。以下で概説される提案する本発明は、’１５８特許で開示されるシステムのコストおよび性能の両方に関する欠点に対処する。
【００３４】
本発明の一実施形態はガスタービンエネルギーシステムを動作させる方法に関し、これが：
（ａ）互いに流体連通される、圧縮機と、燃焼器ケースと、燃焼器と、タービンとを備えるガスタービンシステムを動作させることと；
（ｂ）燃料エンジンによって駆動される補助圧縮機を使用して周囲空気を加圧することであって、燃料エンジンを動作させることが配電網から独立している、ことと；
（ｃ）加圧空気を燃焼器ケース内に噴射することと
を含む。
【００３５】
好適な一実施形態によると、別個の燃料エンジンからの暖かい排気が、燃焼器内に供給される燃料を予熱するのに使用される。好適には、燃料エンジンはジャケット冷却システムを有し、ジャケット冷却システムから除去される熱が、燃焼器内に供給される燃料を予熱するのに使用される。
【００３６】
別の好適な実施形態によると、ガスタービンが動作しないとき、燃料エンジンの排気のすべてまたは一部が入熱のために熱回収ボイラまで進路転換される。
【００３７】
別の好適な実施形態によると、ガスタービンが動作しないとき、燃料エンジンによって行われる圧縮プロセスによって作られる加圧空気が、入熱のために熱回収ボイラおよび／またはタービンまで進路転換される。
【００３８】
本発明の別の実施形態が、ガスタービンエネルギーシステムを動作させる方法に関し、これが：
（ａ）互いに流体連通される、圧縮機と、燃焼器ケースと、燃焼器と、タービンとを備えるガスタービンシステムを動作させることと；
（ｂ）燃料エンジンによって駆動される補助圧縮機を使用して周囲空気および燃料エンジンからの排気ガスの一部を加圧することと；
（ｃ）加圧された空気と排気との混合物を燃焼器ケース内に噴射することと
を含み、
燃料エンジンを動作させることが配電網から独立している。
【００３９】
好適な一実施形態によると、別個の燃料エンジンからの暖かい排気が、燃焼器内に供給される燃料を予熱するのに使用される。好適には、燃料エンジンはジャケット冷却システムを有し、ジャケット冷却システムから除去される熱が、燃焼器内に供給される燃料を予熱するのに使用される。
【００４０】
別の好適な実施形態によると、ガスタービンが動作しないとき、燃料エンジンの排気のすべてまたは一部が入熱のために熱回収ボイラおよび／またはタービンまで進路転換される。
【００４１】
別の好適な実施形態によると、ガスタービンが動作しないとき、燃料エンジンによって行われる圧縮プロセスによって作られる加圧空気が、入熱のために熱回収ボイラおよび／またはタービンまで進路転換される。
【００４２】
本発明の別の実施形態が、ガスタービンエネルギーシステムを動作させる方法に関し、これが：
（ａ）互いに流体連通される、圧縮機と、燃焼器ケースと、燃焼器と、タービンとを備えるガスタービンシステムを動作させることと；
（ｂ）燃料エンジンによって駆動される補助圧縮機を使用して周囲空気および燃料エンジンからの排気ガスのすべてを加圧することと；
（ｃ）加圧された空気と排気との混合物を燃焼器ケース内に噴射することと
を含み、
燃料エンジンを動作させることが配電網から独立している。
【００４３】
好適な一実施形態によると、別個の燃料エンジンからの暖かい排気が、燃焼器内に供給される燃料を予熱するのに使用される。好適には、燃焼エンジンはジャケット冷却システムを有し、ジャケット冷却システムから除去される熱が、燃焼器内に供給される燃料を予熱するのに使用される。
【００４４】
別の好適な実施形態によると、ガスタービンが動作しないとき、燃料エンジンの排気のすべてまたは一部が入熱のための熱回収ボイラおよび／またはタービンまで進路転換される。
【００４５】
別の好適な実施形態によると、ガスタービンが動作しないとき、燃料エンジンによって行われる圧縮プロセスによって作られる加圧空気が、入熱のために熱回収ボイラおよび／またはタービンまで進路転換される。
【００４６】
本発明の別の実施形態が、ガスタービンエネルギーシステムを動作させる方法に関し、これが：
（ａ）互いに流体連通される、圧縮機と、燃焼器ケースと、燃焼器と、タービンとを備えるガスタービンシステムを動作させることと；
（ｂ）燃料エンジンによって駆動される補助圧縮機を使用して燃料エンジンからの排気ガスのみを加圧することと；
（ｃ）加圧された空気と排気との混合物を燃焼器ケース内に噴射することと
を含み、
燃料エンジンを動作させることが配電網から独立している。
【００４７】
好適な一実施形態によると、別個の燃料エンジンからの暖かい排気が、燃焼器内に供給される燃料を予熱するのに使用される。好適には、燃焼エンジンはジャケット冷却システムを有し、ジャケット冷却システムから除去される熱が、燃焼器内に供給される燃料を予熱するのに使用される。
【００４８】
別の好適な実施形態によると、ガスタービンが動作しないとき、燃料エンジンの排気のすべてまたは一部が入熱のための熱回収ボイラおよび／またはタービンまで進路転換される。
【００４９】
別の好適な実施形態によると、ガスタービンが動作しないとき、燃料エンジンによって行われる圧縮プロセスによって作られる加圧空気が、入熱のために熱回収ボイラおよび／またはタービンまで進路転換される。
【００５０】
別の実施形態がガスタービンエネルギーシステムを動作させる方法に関し、これが、
（ａ）互いに流体連通される、圧縮機と、燃焼器ケースと、燃焼器と、タービンとを備えるガスタービンシステムを動作させることと；
（ｂ）燃料エンジンによって行われる補助冷凍プロセス（ｓｕｐｐｌｅｍｅｎｔａｌ  ｒｅｆｒｉｇｅｒａｔｉｏｎ  ｐｒｏｃｅｓｓ）を使用してガスタービン入口空気を冷却することと；
（ｃ）別個の燃料エンジンからの排気をガスタービンの排気に噴射することと
を含み、
燃料エンジンを動作させることが配電網から独立している。
【００５１】
別の実施形態がガスタービンエネルギーシステムを動作させる方法に関し、これが：
（ａ）互いに流体連通される、圧縮機と、燃焼器ケースと、燃焼器と、タービンとを備えるガスタービンシステムを動作させることと；
（ｂ）燃料エンジンによって行われる補助冷凍プロセスを使用してガスタービン入口空気を冷却することと；
（ｃ）別個の燃料エンジンからの排気をガスタービンの排気に噴射することと
を含み、
燃料エンジンを動作させることが配電網から独立している。
【００５２】
別の実施形態がガスタービンエネルギーシステムを動作させる方法に関し、これが：
（ａ）互いに流体連通される、圧縮機と、燃焼器ケースと、燃焼器と、タービンとを備えるガスタービンシステムを動作させることと；
（ｂ）燃料エンジンによって駆動される補助圧縮機を使用して周囲空気を加圧することと；
（ｃ）ロータ式空気冷却器（ｒｏｔｏｒ  ａｉｒ  ｃｏｏｌｅｒ）の上流側のロータ式冷却空気回路（ｒｏｔｏｒ  ｃｏｏｌｉｎｇ  ａｉｒ  ｃｉｒｃｕｉｔ）内に加圧空気を噴射することと
を含み、
燃料エンジンを動作させることが配電網から独立している。
【００５３】
好適には、代替の燃料エンジンからの排気がタービンの排気に吐出される。
【００５４】
別の実施形態がガスタービンエネルギーシステムに関し、これが、
（ａ）互いに流体連通される、圧縮機と、燃焼器ケースと、燃焼器と、タービンとを備えるガスタービンシステムを動作させることと；
（ｂ）燃料エンジンによって駆動される補助圧縮機を使用して周囲空気を加圧することと；
（ｃ）ロータ式空気冷却器の下流側にあるロータ式冷却空気回路内に加圧空気を噴射することと
を含み、
燃料エンジンを動作させることが配電網から独立している。
【００５５】
好適には、代替の燃料エンジンからの排気がタービンの排気に吐出される。
【００５６】
別の実施形態がガスタービンエネルギーシステムを動作させる方法に関し、これが：
（ａ）互いに流体連通される、圧縮機と、燃焼器ケースと、燃焼器と、タービンとを備えるガスタービンシステムを動作させることと；
（ｂ）燃料エンジンによって駆動される補助圧縮機を使用して周囲空気を加圧することと；
（ｃ）加圧空気を中間圧力冷却回路内に噴射することと；
を含み、
燃料エンジンを動作させることが配電網から独立している。
【００５７】
好適には、代替の燃料エンジンからの排気がタービンの排気に吐出される。
【００５８】
別の実施形態がガスタービンエネルギーシステムを動作させる方法に関し、これが：
（ａ）互いに流体連通される、圧縮機と、燃焼器ケースと、燃焼器と、タービンとを備えるガスタービンシステムを動作させることと；
（ｂ）燃料エンジンによって駆動される補助圧縮機を使用して周囲空気を加圧することと；
（ｃ）加圧空気を第１のステージのノズル冷却回路内に噴射することと
を含み、
燃料エンジンを動作させることが配電網から独立している。
【００５９】
好適には、代替の燃料エンジンからの排気がタービンの排気に吐出される。
【００６０】
別の実施形態がガスタービンエネルギーシステムを動作させる方法に関し、これが：
（ａ）互いに流体連通される、圧縮機と、燃焼器ケースと、燃焼器と、タービンとを備えるガスタービンシステムを動作させることと；
（ｂ）燃料エンジンによって駆動される補助圧縮機を使用して周囲空気を加圧することと；
（ｃ）加圧空気をガスタービン冷却回路内に噴射することと；
（ｄ）代替の燃料エンジンからの熱を利用して作られる蒸気をタービン内に噴射することと
を含み、
燃料エンジンを動作させることが配電網から独立している。
【００６１】
別の実施形態がガスタービンエネルギーシステムを動作させる方法に関し、これが：
（ａ）互いに流体連通される、圧縮機と、燃焼器ケースと、燃焼器と、タービンとを備えるガスタービンシステムを動作させることと；
（ｂ）燃料エンジンによって駆動される補助圧縮機を使用して周囲空気を加圧することと；
（ｃ）ガスタービンシステムが運転されないときに加圧空気をタービン内に噴射することと
を含み、
燃料エンジンを動作させることが配電網から独立している。
【００６２】
別の実施形態がガスタービンエネルギーシステムを動作させる方法に関し、これが：
（ａ）互いに流体連通される、圧縮機と、燃焼器ケースと、燃焼器と、タービンとを備えるガスタービンシステムを動作させることと；
（ｂ）ガスタービンシステムが運転されないとき、代替の燃料エンジンからの熱を利用して作られる蒸気を熱回収ボイラ内に噴射することと
を含む。
【００６３】
別の実施形態がガスタービンエネルギーシステムを動作させる方法に関し、これが：
（ａ）互いに流体連通される、圧縮機と、燃焼器ケースと、燃焼器と、タービンとを備えるガスタービンシステムを動作させることと；
（ｂ）ガスタービンシステムが運転されないとき、別個の燃料エンジンの排気を熱回収ボイラ内に噴射することと
を含む。
【００６４】
本発明の別の実施形態が、互いに流体連通される、圧縮機と、燃焼器ケースと、燃焼器と、タービンとを備えるガスタービンシステムを含む、本発明による方法を実行するように構成される装置、ならびに、本発明による方法を実行するように構成される１つまたは複数の構成要素（例えば、燃料エンジン）に関する。
【００６５】
本発明の一実施形態の構成要素が、既存のガスタービンシステム（１）と共に使用されるものとして図１に示される。ガスタービンシステム（１）が、圧縮機（１０）と、燃焼器（１２）と、燃焼ケース（１４）と、タービン（１６）と、発電機（１８）とを有する。往復動内燃エンジン、ガスタービン、または、燃焼などの発熱反応を通して燃料をエネルギーに変換する同様の機械のいずれかである燃料エンジン（１５１）が、多段の中間冷却される補助圧縮機（１１６）を駆動させるのに使用され、この多段の中間冷却される補助圧縮機（１１６）が周囲空気（１１５）および／または低温排気（１５４）を圧縮して圧縮された空気／排気（１１７）を吐出する。当業者であれば容易に理解するであろうが、補助圧縮機内の空気／排気が１つの圧縮機ステージから次のステージまで通過するとき、空気が冷却塔などの熱交換機を使用することによって中間冷却され、それにより次の圧縮機ステージで空気を圧縮するのに必要となる仕事が減少する。こうすることにより補助圧縮機（１１６）の効率が向上し、ガスタービンシステム（１）の圧縮機（１０）よりも効率的となる。
【００６６】
この実施形態は換熱器（１４４）をさらに有し、この換熱器（１４４）は、燃料エンジン（１５１）から排気ガス（１５２）を受け取り、補助圧縮機（１１６）から圧縮された空気／排気（１１７）を受け取る熱交換機である。換熱器（１４４）内では、高温の排気ガス（１５２）が圧縮された空気／排気（１１７）を加熱し、次いで実質的に低温の排気ガス（１５３）として換熱器（１４４）から出る。換熱器（１４４）内では同時に、圧縮された空気／排気（１１７）が排気ガス（１５２）から熱を吸収し、次いで、換熱器（１４４）に入るときよりも実質的に高温の圧縮された空気／排気（１１８）として換熱器（１４４）から出る。実質的に高温の圧縮された空気／排気（１１８）が次いでガスタービンシステム（１）の燃焼ケース（１４）内に吐出され、そこで燃焼器（１２）およびタービン（１６）を通る質量流量に加えられる。
【００６７】
換熱器（１４４）から吐出される暖かい排気ガス（１５３）がバルブ（１６１）に入り、バルブ（１６１）が暖かい排気ガス（１５３）の一部またはすべてをさらなる冷却のために冷却塔（１３０）まで誘導する。低温の排気ガス（１５４）が補助圧縮機（１１６）の入口に入る。追加の周囲空気（１１５）が補助圧縮機（１１６）の入口に加えられてもよい。バルブ（１６１）により冷却塔（１３０）まで進路転換されない暖かい排気ガス（１５３）はすべて、大気、燃料加熱システム、または、ＧＴの排気（２２）に吐出され得る。
【００６８】
本発明の部分的排気再循環システムは別個の燃料エンジンからのエミッションを減少させるが、１００％の排気再循環システムはエミッションの供給源としての別個の燃料エンジンを排除する。これは、既存のガスタービンの排気クリーンアップシステムが使用され得それによりこの計画の潜在的コストが排除されるので、実現が可能性さらにはコスト削減において非常に有用である可能性がある。
【００６９】
ガソリン、ディーゼル、天然ガスまたはバイオ燃料、および、同様の往復動エンジンが背圧の影響を比較的受けず、したがって燃料エンジン（１５１）上に換熱器（１４４）を配置することが燃料エンジン（１５１）の性能に実質的に測定可能な程度で影響しないことが分かっている。図１１がＴＳまたはＨＳ（エンタルピー−エントロピーの温度−エントロピー）ダイアグラム上でガスタービンサイクルを示す。温度およびエンタルピーは互いに比例するので（Ｃｐ）、１０１ｋＰａ（１４．７ｐｓｉ）の大気圧（Ｐ１０）と圧縮機排気圧力（「ＣＤＰ：ｃｏｍｐｒｅｓｓｏｒ  ｄｉｓｃｈａｒｇｅ  ｐｒｅｓｓｕｒｅ」）プロセスとの間の垂直距離が、空気をＣＤＰまで圧送するのに必要となる圧縮機の仕事を示す。点線（Ｐ１１）が１５０４ｋＰａ（２１８．１ｐｓｉ）である噴射なしの圧縮機排気圧力を示し、対して、破線（Ｐ１２）が１５８９ｋＰａ（２３０．５ｐｓｉ）である噴射ありの圧縮機排気圧力を示す。圧縮機排気温度が、圧縮圧力比が増大することにより、圧縮空気の噴射なしの４１０℃（７７０Ｆ）（Ｐ１３）から圧縮空気の噴射ありの４２３．３℃（７９４Ｆ）（Ｐ１４）まで上昇する。このように１３．３℃（２４Ｆ）上昇することにより空気を１３４５．６℃（２４５４Ｆ）の燃焼温度まで加熱するのに必要となる燃料が１％減少し、また、圧縮機の仕事が１．３％すなわち３．５ＭＷ増大する（圧縮空気の噴射なしの圧縮機の仕事（Ｐ１５）との比較）。温度が、約３９９℃（７５０Ｆ）から、「燃焼温度」である約１３４５．６℃（２４５４Ｆ）のタービン入口温度（「ＴＩＴ：ｔｕｒｂｉｎｅ  ｉｎｌｅｔ  ｔｅｍｐｅｒａｔｕｒｅ」）（Ｐ１６）まで上昇（および、それに対応してエンタルピーが増大する）し、これは英国熱量単位（「ＢＴＵ：Ｂｒｉｔｉｓｈ  Ｔｈｅｒｍａｌ  Ｕｎｉｔｓ」）の燃料入力を示す。右側のＣＤＰ（Ｐ１１、Ｐ１２）から１０１ｋＰａ（１４．７ｐｓｉ）（Ｐ１０）までの垂直距離が、圧縮機の仕事（Ｐ１５）の約２倍であるタービンの仕事（Ｐ１７）を示す。エキスパンダの圧力比が高いので噴射により排気温度が５３１℃（９８７Ｆ）（Ｐ１８）から５１９℃（９６７Ｆ）（Ｐ１９）まで２０Ｆ低下し、これは空気の１ポンド当たりで＋．８１％のパワーまたは基底流量での＋４．７ＭＷに相当する。
【００７０】
図１２は、ＣＤＰプレナム内に吐出され得るようにするために空気を周囲条件（１０１ｋＰａ（１４．７ｐｓｉ））からＣＤＰよりわずかに高い圧力（１５８６ｋＰａ（２３０ｐｓｉ））まで圧送するのに必要となるポンド質量当たりの仕事の比較を示す。見られるように、破線の曲線が３ステージの中間冷却される圧縮機を示し、１ステージ当たり約２．４５の圧力比である（第１のステージ後が２４８ｋＰａ（３６ｐｓｉ）、第２のステージ後が６３４ｋＰａ（９２ｐｓｉ）、第３のステージ後が１５８６ｋＰａ（２３０ｐｓｉ）である）。中間冷却プロセス（Ｐ２０）を使用して４５３．６ｇ（１ｌｂｍ）の空気を圧縮するための仕事は、同様のステージ圧縮効率で考察しても中間冷却されない圧縮機より大幅に小さい。現実的には、各ステージで中間冷却器の圧力損失があることと、空気をＧＴ内に効果的に噴射するためには実際には空気をＣＤＰより高い圧力まで圧送する必要があることとにより、図１２で示されるよりも多くの仕事が必要となる。しかし、これらのことを考慮しても、ポンド当たりでは、中間冷却される圧縮機は、タービンサイクルのために空気を圧縮するのにＧＴで必要とされる仕事（Ｐ２１）より少ないパワーを使用する。
【００７１】
図２が、燃料の加熱が燃料加熱器（２０１）内の燃料を加熱するのに暖かい排気（１５３）を使用することによって達成されるような、図１の実施形態を示す。燃料の加熱により、圧縮機（１０）の吐出空気をタービン入口温度まで上昇させるのに必要となるＢＴＵの燃料入力が減少するので、ＧＴで必要とされる燃料（２４）の量が減少し、パワープラントの効率がさらに向上する。
【００７２】
図３が出力増加のための入口チリングシステム（４０１）である代替の技術を使用する。入口の冷却は、ラジエータ（４０５）内を循環する流体を冷却するのに使用される低温の冷却剤を提供することにより作用する。冷却された流体（４０３）がラジエータ（４０５）に入り、ラジエータ（４０５）を通過するガスタービン入口空気（２０）を冷却し、その結果、冷気（４０２）がＧＴの入口に吐出され、それによりＧＴのサイクルがより効率的になり、より大きいパワーが得られる。次いで、冷却流体がラジエータ（４０５）に入るときよりも高い温度でラジエータ（４０５）から吐出され（４０４）、チラーシステム（４０１）がその流体を再び冷却する。従来、これらのシステムはプラントに大きい所内動力を発生させる電気モータによって駆動され、同時に、プラントは追加のパワーを作ろうともし、この追加のパワーが熱消費率の大きい不利益に転換される。別個の燃料エンジンがチラーを駆動させるのに使用される場合、所内動力が排除される。効率的な天然ガス往復動エンジンが出現し、現在普及しており、また、進歩していることにより、往復動エンジンからの排気がガスタービンの排気に追加され得、蒸気タービンのための追加の蒸気がＨＴＳＧ内に作られる。また、この追加の蒸気の一部またはすべては所望される場合は出力増加のために抽出されて蒸気噴射として使用され得る。これらの特徴のいずれも複合サイクルプラントの効率を大きく向上させる。単純サイクルプラントでは、補助ボイラ（図示せず）が、出力増加のためにＧＴ内への蒸気噴射に使用され得る蒸気を作るために高温の排気（３５２）を利用することができる。
【００７３】
図４が図１の代替的実施形態を示し、ここでは、バルブ（５０１）が別個の燃料エンジン（１５１）の排気（１５２）内に配置され、このバルブ（５０１）がエンジン（１５１）からの排気（５０２）を複合サイクルプラントのＨＲＳＧ（５０３）まで進路転換し、そこで排気（５０２）がシステムを予熱するかまたはシステムを暖かい状態で維持するのに使用され、それにより始動時間を短縮することが可能となる。このシステムが動作するとき、液圧クラッチまたは機械クラッチ（５０４）が燃料エンジン（１５１）のシャフトを圧縮機（１１６）から外すのに使用され、その結果、圧縮機（１１６）が動作しなくなる。
【００７４】
図５は図４に非常に類似するが、補助圧縮機（１１６）のためのクラッチが排除され、圧縮機（１１６）が圧縮された空気／排気の混合物（６０２）をＨＲＳＧ（５０３）に提供する、および／または圧縮された空気／排気の混合物（１１８）を換熱器（１１４）を介してガスタービンに提供する。これは図４に示される低圧排気より有利である可能性があり、その理由は、加圧された空気／排気の混合物が、相対的に低圧の空気／排気の混合物より容易に適切なエリアまで流れるように誘導され得るからである。さらに、別個の燃料エンジン（１５１）が、加熱プロセスで望まれる可能性があるより高い排気温度を作る。この構成は以下のように変更されてもよい：低圧であるが非常に高い温度の排気（図示せず）が、より高温の空気を利用することができるＨＲＳＧ（５０３）およびＧＴのエリアを予熱するのに使用され得、低温の圧縮された空気／排気が、より低温の空気を利用することができるＨＲＳＧ（５０３）およびタービンのエリアで使用され得る。
【００７５】
図６は圧縮空気をガスタービンシステム（１）内に噴射するための単純化された手法であり、その理由は、ガスタービン（６０１）によって通常供給されてロータ式空気冷却システム（１５５）内で空気または蒸気によって冷却される低温の冷却空気（６０２）に取って代わって圧縮空気が使用されるので、圧縮空気（１１７）を加熱する必要がないからである。Ｓｉｅｍｅｎｓ  Ｗｅｓｔｉｎｇｈｏｕｓｅ５０１Ｆ、５０１Ｄ５および５０１Ｂ６のエンジンの通常の動作時、例えば、圧縮機（１０）によって圧縮される空気の約６．５％が直径約５０．８ｃｍ（２０インチ）の単一の大型パイプを通して圧縮機吐出プレナム（１４）から抜かれる（６０１）。ブリード空気（６０１）は約１３７９ｋＰａ（２００ｐｓｉ）〜１７２４ｋＰａ（２５０ｐｓｉ）、３１６℃（６００Ｆ）〜３９９℃（７５０Ｆ）である。この高温空気がロータ式空気冷却システム（１５５）に入り、そこで、空気または蒸気がブリード空気（６０１）を冷却するのに使用される。空気がブリード空気（６０１）を冷却するのに使用されるとき、熱が大気（６０３）へ吐出されて廃棄される。しかし、ブリード空気（６０１）を冷却する冷媒として蒸気が使用される場合、熱がブリード空気（６０１）から蒸気へ伝達され、それによりその蒸気のエンタルピーが増大し、その蒸気が蒸気サイクル内で使用され得るようになる。いずれの場合も、熱が一切吐出されない場合、ガスのＧＴ（１）サイクルの効率が向上する。ロータ式空気冷却器（１５５）の上流（６０１）または下流（６０２）で低温の加圧空気（１１７）を噴射することにより、阻止される熱（６０３）が最小となるかまたは排除されて、それによりＧＴ（１）サイクルの効率が向上し、一方で同時に、燃焼器（１２）セクションおよびタービンセクション（１６）を通る空気の質量流量が効果的に増加する。大部分のガスタービンは、タービンの後のステージを冷却するのに使用される専用の中間圧力圧縮機抽気（７０１）を有し、タービンの後のステージでは図７に示されるように低い圧力が必要となる。また、すべてのガスタービンは利用可能な最も高い圧力を第１のベーン冷却回路（ｆｉｒｓｔ  ｖａｎｅ  ｃｏｏｌｉｎｇ  ｃｉｒｃｕｉｔ）に供給し、第１のベーン冷却回路は図８に示される圧縮機吐出ラッパ（ｃｏｍｐｒｅｓｓｏｒ  ｄｉｓｃｈａｒｇｅ  ｗｒａｐｐｅｒ）（１４）（または、燃焼器ケース）内にある。噴射の位置、図６に示されるロータ式冷却空気、図７に示される中間圧力冷却、または、図８に示される第１のベーン冷却に応じて、異なる圧力が必要となる。これらの圧力は中間冷却される補助圧縮機（１１６）の出口によって供給され得るか、または、より低い圧力の用途の場合には中間冷却される補助圧縮機（１１６）のより前のステージから供給され得る。いずれの場合も、このタイプの噴射は空気を加熱するのに復熱効果をほとんど利用しないか（図示せず）またはまったく利用しないので、別個の燃料エンジンの排気（１５２）が示されるようにガスタービンの排気（２２）に追加され得、それにより複合サイクルプラントのための排気エネルギーが増大する。本発明の出力増大システムが単純サイクルプラントに位置する場合、図９に示されるようにガスタービン（９０３）内への噴射のための蒸気を作るのに高温の排気（１５２）がパッケージ化されたボイラ（９０１）内で利用され得る。ＴｕｒｂｏＰＨＡＳＥのパッケージ（本発明はこのように称される）はモジュール型であることを意図されるので、ユニットのうちの少なくとも１つにパッケージ化されたボイラ（９０１）を組み込むことが有利である可能性があり、その結果、オフピーク時間の間、ＴｕｒｂｏＰＨＡＳＥのモジュール型パッケージが、加圧された高温空気（１１７）を循環させてガスタービンを暖かい状態で維持し、かつ蒸気を循環させて蒸気タービン／ＨＲＳＧ（５０３）を暖かい状態で維持するように運転され得、それにより必要となる始動時間が短縮される。
【００７６】
低品質の熱を組み入れることにより、効率をさらに向上させることを達成することができる。例えば、図１０では、ガスタービンの燃料入力（２４）が、燃料エンジンのジャケット冷却システム（１０１１および１０１２）からの熱を用いて予熱され得る（１０２３）。こうすることにより、プラントで必要とされる冷却が軽減され、また、ガスタービンの燃料が燃料加熱器（２０１）に入る前に予熱されるようになり（１０２３）、それにより、所望の燃料温度に到達するために必要となる入熱が軽減されるかまたはより高い燃料温度に到達することが可能となる。また、図１０は代替の実施形態を示しており、ここでは、換熱器（１４４）からの排気（１５３）が、ＧＴ内に噴射される前のガスタービン燃料（１０２４）に最後に熱を追加するのに使用される。この場合、代替の燃料エンジン（１５１）の排気ガス（１５３）が、燃料加熱器（２０１）を通って流れて吐出された（１００２）後では、比較的低温になる。
【００７７】
本明細書で説明されるおよび詳説される特定のシステム、構成要素、方法およびデバイスは本発明の上述の目的および利点を完全に達成することが可能であるが、これらが本発明の現在好適な実施形態であり、したがって本発明によって広く企図される主題を表すものでありことと、本発明の範囲が当業者には明らかである可能性がある別の実施形態を完全に包含することと、したがって、本発明の範囲が、特許請求の範囲では特に明記しない限り、単数形の要素を参照することが「１つのみ」ではなく「１つまたは複数」を意味している添付の特許請求の範囲以外によって限定されないことと、を理解されたい。
【００７８】
本発明の修正形態および変形形態が、本発明の精神および意図される範囲から逸脱することなく、上記の教示によって包含され、添付の特許請求の範囲の範囲内にあることを理解されたい。
【図１】
0006290909.tif 000002
【図２】
0006290909.tif 000003
【図３】
0006290909.tif 000004
【図４】
0006290909.tif 000005
【図５】
0006290909.tif 000006
【図６】
0006290909.tif 000007
【図７】
0006290909.tif 000008
【図８】
0006290909.tif 000009
【図９】
0006290909.tif 000010
【図１０】
0006290909.tif 000011
【図１１】
0006290909.tif 000012
【図１２】
0006290909.tif 000013